【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
通信回線を介して外部機器と通信可能な通信装置であって、
前記通信装置との通信が拒否または許可されるべき外部機器のＩＰアドレスを記憶部に登録する登録手段と、
前記登録手段によりＩＰアドレスが登録された場合に、当該登録されたＩＰアドレスに対応する前記外部機器の他のＩＰアドレスを取得する取得手段と、
前記取得手段により取得された前記他のＩＰアドレスを前記記憶部に登録する追加登録手段と、
前記通信回線を介して外部機器から情報を受信した場合、当該情報を送信した外部機器のＩＰアドレスが前記記憶部に記憶されているか否かを判別する判別手段と、
前記判別手段による判別の結果に応じて、前記情報を送信した外部機器との通信を拒否または許可するフィルタ制御手段と、
を有することを特徴とする通信装置。
【請求項２】
前記追加登録手段は、前記取得手段により取得された前記他のＩＰアドレスを前記記憶部に登録するか否かをユーザに問合せる手段と、
前記ユーザへの問合せに対する応答に応じて、前記他のＩＰアドレスを前記記憶部に登録するか否かを決定する手段とを有することを特徴とする請求項１に記載の通信装置。
【請求項３】
前記取得手段は、前記通信回線を介してＤＮＳサーバに問合せることにより、前記他のＩＰアドレスを取得することを特徴とする請求項１または２に記載の通信装置。
【請求項４】
前記通信回線を介して行った通信に関する履歴情報を記憶する履歴記憶手段を更に有し、
前記取得手段は、前記履歴記憶手段に記憶されている履歴情報を参照することにより、前記他のＩＰアドレスを取得することを特徴とする請求項１または２に記載の通信装置。
【請求項５】
通信回線を介して外部機器と通信可能な通信装置であって、
前記通信装置との通信が拒否または許可されるべき外部機器のＩＰアドレスを入力する入力手段と、
前記入力手段によりＩＰアドレスが入力された場合に、当該入力されたＩＰアドレス宛てにコマンドを送信する送信手段と、
前記送信手段が送信したコマンドに対する応答に基づき、前記入力されたＩＰアドレスに対応する前記外部機器のＭＡＣアドレスを取得する取得手段と、
前記取得手段により取得されたＭＡＣアドレスを記憶部に登録する登録手段と、
前記通信回線を介して外部機器から情報を受信した場合、当該情報を送信した外部機器のＭＡＣアドレスが前記記憶部に記憶されているか否かを判別する判別手段と、
前記判別手段による判別の結果に応じて、前記情報を送信した外部機器との通信を拒否または許可するフィルタ制御手段と、
を有することを特徴とする通信装置。
【請求項６】
通信回線を介して外部機器と通信可能な通信装置であって、
前記通信回線を介して行った通信に関する履歴情報を記憶する履歴記憶手段と、
前記通信装置との通信が拒否または許可されるべき外部機器のＩＰアドレスを入力する入力手段と、
前記入力手段により入力されたＩＰアドレスを基に前記履歴記憶手段に記憶されている履歴情報を参照することにより、前記入力されたＩＰアドレスに対応する前記外部機器のＭＡＣアドレスを取得する取得手段と、
前記取得手段により取得されたＭＡＣアドレスを記憶部に登録する登録手段と、
前記通信回線を介して外部機器から情報を受信した場合、当該情報を送信した外部機器のＭＡＣアドレスが前記記憶部に記憶されているか否かを判別する判別手段と、
前記判別手段による判別の結果に応じて、前記情報を送信した外部機器との通信を拒否または許可するフィルタ制御手段と、
を有することを特徴とする通信装置。
【請求項７】
通信回線を介して外部機器と通信可能な通信装置の制御方法であって、
前記通信装置との通信が拒否または許可されるべき外部機器のＩＰアドレスを記憶部に登録する登録工程と、
前記登録工程でＩＰアドレスが登録された場合に、当該登録されたＩＰアドレスに対応する前記外部機器の他のＩＰアドレスを取得する取得工程と、
前記取得工程で取得された前記他のＩＰアドレスを前記記憶部に登録する追加登録工程と、
前記通信回線を介して外部機器から情報を受信した場合、当該情報を送信した外部機器のＩＰアドレスが前記記憶部に記憶されているか否かを判別する判別工程と、
前記判別工程での判別結果に応じて、前記情報を送信した外部機器との通信を拒否または許可するフィルタ制御工程と、
を有することを特徴とする通信装置の制御方法。
【請求項８】
通信回線を介して外部機器と通信可能な通信装置の制御方法であって、
前記通信装置との通信が拒否または許可されるべき外部機器のＩＰアドレスを入力する入力工程と、
前記入力工程でＩＰアドレスが入力された場合に、当該入力されたＩＰアドレス宛てにコマンドを送信する送信工程と、
前記送信工程で送信したコマンドに対する応答に基づき、前記入力されたＩＰアドレスに対応する前記外部機器のＭＡＣアドレスを取得する取得工程と、
前記取得工程で取得されたＭＡＣアドレスを記憶部に登録する登録工程と、
前記通信回線を介して外部機器から情報を受信した場合、当該情報を送信した外部機器のＭＡＣアドレスが前記記憶部に記憶されているか否かを判別する判別工程と、
前記判別工程での判別の結果に応じて、前記情報を送信した外部機器との通信を拒否または許可するフィルタ制御工程と、
を有することを特徴とする通信装置の制御方法。
【請求項９】
通信回線を介して外部機器と通信可能であり、当該通信回線を介して行った通信に関する履歴情報を記憶する履歴記憶手段を備える通信装置の制御方法であって、
前記通信装置との通信が拒否または許可されるべき外部機器のＩＰアドレスを入力する入力工程と、
前記入力工程で入力されたＩＰアドレスを基に前記履歴記憶手段に記憶されている履歴情報を参照することにより、前記入力されたＩＰアドレスに対応する前記外部機器のＭＡＣアドレスを取得する取得工程と、
前記取得工程で取得されたＭＡＣアドレスを記憶部に登録する登録工程と、
前記通信回線を介して外部機器から情報を受信した場合、当該情報を送信した外部機器のＭＡＣアドレスが前記記憶部に記憶されているか否かを判別する判別工程と、
前記判別工程での判別の結果に応じて、前記情報を送信した外部機器との通信を拒否または許可するフィルタ制御工程と、
を有することを特徴とする通信装置の制御方法。
【請求項１０】
請求項７から９のいずれか１項に記載の通信装置の制御方法をコンピュータに実行させるためのプログラム。
【手続補正２】
【補正対象書類名】明細書
【補正対象項目名】０００９
【補正方法】変更
【補正の内容】
【０００９】
上記目的を達成するために本発明の一態様に係る通信装置は以下のような構成を備える。即ち、
通信回線を介して外部機器と通信可能な通信装置であって、
前記通信装置との通信が拒否または許可されるべき外部機器のＩＰアドレスを記憶部に登録する登録手段と、
前記登録手段によりＩＰアドレスが登録された場合に、当該登録されたＩＰアドレスに対応する前記外部機器の他のＩＰアドレスを取得する取得手段と、
前記取得手段により取得された前記他のＩＰアドレスを前記記憶部に登録する追加登録手段と、
前記通信回線を介して外部機器から情報を受信した場合、当該情報を送信した外部機器のＩＰアドレスが前記記憶部に記憶されているか否かを判別する判別手段と、
前記判別手段による判別の結果に応じて、前記情報を送信した外部機器との通信を拒否または許可するフィルタ制御手段と、
を有することを特徴とする。
【手続補正３】
【補正対象書類名】明細書
【補正対象項目名】００１０
【補正方法】変更
【補正の内容】
【００１０】
上記目的を達成するために本発明の一態様に係る通信装置の制御方法は以下のような工程を備える。即ち、
通信回線を介して外部機器と通信可能な通信装置の制御方法であって、
前記通信装置との通信が拒否または許可されるべき外部機器のＩＰアドレスを記憶部に登録する登録工程と、
前記登録工程でＩＰアドレスが登録された場合に、当該登録されたＩＰアドレスに対応する前記外部機器の他のＩＰアドレスを取得する取得工程と、
前記取得工程で取得された前記他のＩＰアドレスを前記記憶部に登録する追加登録工程と、
前記通信回線を介して外部機器から情報を受信した場合、当該情報を送信した外部機器のＩＰアドレスが前記記憶部に記憶されているか否かを判別する判別工程と、
前記判別工程での判別結果に応じて、前記情報を送信した外部機器との通信を拒否または許可するフィルタ制御工程と、
を有することを特徴とする。
【手続補正４】
【補正対象書類名】明細書
【補正対象項目名】００７５
【補正方法】変更
【補正の内容】
【００７５】
ここでフィルタアドレス記憶部２０４は、前述の図１２に示すように、フィルタリング対象のＭＡＣアドレス一覧が記憶されている。この場合、ＭＡＣアドレス「00aa00123457」は、接続拒否アドレスとして登録されているため、ネットワークフィルタ制御部２０５は接続拒否の旨をパケット送受信部２０６に伝える。こうしてパケット送受信部２０６では、その受信したパケットが接続拒否として登録されていると判明したため、速やかに受信パケットを破棄する。